(57)【特許請求の範囲】
【請求項１】
与えられた２つの音声信号に対して所定の周波数における出力レベルをそれぞれ個別に表示する表示装置において、
前記周波数としては、基本となる第１の周波数と、該第１の周波数とは異なる第２の周波数と、が少なくとも設定されていて、
前記音声信号各々の前記第１の周波数における出力レベルを個別に検出する第１、第２の検出手段と、
前記音声信号同士を混合する混合手段と、
前記混合手段で混合された音声信号の前記第２の周波数における出力レベルを検出する第３の検出手段と、
前記第１、第２の検出手段の出力レベルを比較する比較手段と、
前記比較手段による比較の結果、大きい方の出力レベルを前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、
を備えたことを特徴とする表示装置。
【請求項２】
更に、前記周波数としては、前記第１、第２の周波数とは異なる第３の周波数が設定されていて、
前記演算手段は、前記比較手段による比較の結果、大きい方の出力レベルを、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算することを特徴とする請求項１に記載の表示装置。
【請求項３】
与えられた２つの音声信号に対して所定の周波数における出力レベルをそれぞれ個別に表示する表示装置において、
前記周波数としては、基本となる第１の周波数と、該第１の周波数とは異なる第２の周波数と、が少なくとも設定されていて、
前記音声信号各々の前記第１の周波数における出力レベルを個別に検出する第１、第２の検出手段と、
前記音声信号同士を混合する混合手段と、
前記混合手段で混合された音声信号の前記第２の周波数における出力レベルを検出する第３の検出手段と、
前記第１、第２の検出手段の出力レベルを比較する比較手段と、
前記比較手段による比較の結果、相互の出力レベルの差の絶対値を前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、
を備えたことを特徴とする表示装置。
【請求項４】
更に、前記周波数としては、前記第１、第２の周波数とは異なる第３の周波数が設定されていて、
前記演算手段は、前記比較手段による比較の結果、相互の出力レベルの差の絶対値を、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算することを特徴とする請求項３に記載の表示装置。
【請求項５】
前記２つの音声信号は、Ｌチャンネル音声信号とＲチャンネル音声信号とから構成されるステレオ音声信号であることを特徴とする請求項１から４のいずれかに記載の表示装置。
【発明の詳細な説明】
【０００１】
【発明の属する技術分野】
本発明は、オーディオ機器等の音声装置に搭載される表示装置に関し、特に、与えられた２つの音声信号に対して所定の周波数における出力レベルをそれぞれ個別に表示する表示装置に関する。
【０００２】
【従来の技術】
一般に普及している音声装置には、通常、与えられた音声信号に対して所定の周波数における出力レベル（以下、「振幅レベル」と記すことがある）を表示し得る表示部を備えた表示装置が搭載されている。ここで、その音声信号については、ステレオ音声信号のように、例えば左チャンネル（以下、「Ｌｃｈ」と記すことがある）と右チャンネル（以下、「Ｒｃｈ」と記すことがある）という、２つの音声信号で構成されるのが一般的であり、またその周波数については、近年の市場要求を踏まえて多数の周波数が設定されている。従って、表示装置には、２つの音声信号各々に対して、多数の周波数毎にそれぞれの出力レベルを個別に表示でき得る機能が要求される。
【０００３】
このような要求を満足する従来の表示装置について、図面を参照しながら説明する。先ず図６は、その従来の一般的な表示装置の外観を示す正面図である。この表示装置１００は、６つの周波数（図中で、中央部に表記した６３Ｈｚ、１００Ｈｚ、４００Ｈｚ、１ｋＨｚ、４ｋＨｚ、及び１６ｋＨｚ）が設定されていて、Ｌｃｈ、Ｒｃｈという２つの音声信号（図中で、上部左右に表記）に対して、各周波数における振幅レベルを８段階（図中で、下部左右に表記）でそれぞれ個別に表示するものである。この表示は、左右それぞれに配置された放電管、或いは液晶パネル等で構成された表示部１、１で行われるようになっており、この表示部１、１では、各音声信号の各周波数における振幅レベルの大きさに応じて、中央側からそれぞれの左右外側に向けてバーが振れるように、放電管のセグメント、或いは液晶が点灯（図中、ハッチング部で例示）される。つまり、Ｌｃｈ、Ｒｃｈの各音声信号の各周波数における振幅レベルは、ともに中央側が低く左右外側が高いことで示される。
【０００４】
次に、このような表示装置の従来一般的な構成について、図７に基づき説明する。図７は、その従来一般的な構成を示すブロック図である。なお、図中で図６と同じ名称の部分には同一の符号を付している。１は表示部、２、３はともに緩衝器としてのバッファアンプで、そのうちバッファアンプ２はＬｃｈの音声信号が入力されるもの、他方バッファアンプ３はＲｃｈの音声信号が入力されるものである。１１〜１６、及び２１〜２６はいずれも所定の周波数の音声信号を通過させるバンドパスフィルタで、そのうちバンドパスフィルタ１１〜１６は、それぞれに上記６つの周波数各々が設定されたＬｃｈの音声信号に用いられるもの、他方バンドパスフィルタ２１〜２６は、それぞれにバンドパスフィルタ１１〜１６と同様に上記６つの周波数各々が設定されているが、Ｒｃｈの音声信号に用いられるものである。
【０００５】
５１〜５６、及び６１〜６６はいずれもＡＣ（交流）信号をＤＣ（直流）信号に変換するＡＣ／ＤＣ変換器で、そのうちＡＣ／ＤＣ変換器５１〜５６は、それぞれ各バンドパスフィルタ１１〜１６を通過したＬｃｈの信号を変換するもの、他方ＡＣ／ＤＣ変換器６１〜６６は、それぞれ各バンドパスフィルタ２１〜２６を通過したＲｃｈの信号を変換するものである。４は、各ＡＣ／ＤＣ変換器５１〜５６、及び６１〜６６から出力された各信号をそれぞれ入力するためのいわゆるＡ／Ｄポート（不図示）が設けられ、そのＡ／Ｄポートに入力された信号に基づき表示部１の表示を制御するマイクロコンピュータである。
【０００６】
Ｌｃｈ、Ｒｃｈの音声信号各々の流れについて触れると、Ｌｃｈでは、バッファアンプ２に入力されたＬｃｈの音声信号は各バンドパスフィルタ１１〜１６に分配出力され、各バンドパスフィルタ１１〜１６の周波数に応じた信号がそれぞれ通過する。これによって、Ｌｃｈの音声信号から各周波数における信号が個別に抽出されることになる。次いで、各バンドパスフィルタ１１〜１６を通過した直後の各信号は交流信号となっているが、各ＡＣ／ＤＣ変換器５１〜５６を介して、各信号の振幅に比例したアナログの直流信号、例えば電圧値が０〜５Ｖの範囲の直流信号に変換される。このように変換するのは、経路後段にあるマイクロコンピュータ４での制御を容易にするためである。そして、各直流信号はマイクロコンピュータ４に設けられた各Ａ／Ｄポートに入力され、マイクロコンピュータ４はその各直流信号の電圧値に応じた各振幅レベルの信号を表示部１に与えて、その各振幅レベルを個別に表示させる。
【０００７】
他方Ｒｃｈでも同様に、バッファアンプ３に入力されたＲｃｈの音声信号は、バンドパスフィルタ２１〜２６、及びＡＣ／ＤＣ変換器６１〜６６を介して、各周波数における直流信号として抽出され、マイクロコンピュータ４は、その各直流信号の電圧値に応じた各振幅レベルを個別に表示部１に表示させる。このようにして、表示装置１００は、２つの音声信号各々に対して、多数の周波数毎にそれぞれの出力レベルを個別に表示できるようになっている。
【０００８】
【発明が解決しようとする課題】
しかし、上記した従来の構成では、設定された多数の周波数に対して、それぞれ個別にバンドパスフィルタ、ＡＣ／ＤＣ変換器、及びＡ／Ｄポートという一連の部品を備えているため、全ての周波数にわたり振幅レベルを抽出できてそれら振幅レベルの表示は確実に実体と適合する反面、設定された周波数の数に応じてそれら部品点数が嵩み高価となるし、装置の規模も大きくなるという欠点がある。つまり、設定された周波数の数を減らさない限りそれら部品点数の削減は望めず、製造コスト抑制という近年の趨勢においては極めて不利である。また市場要求によっては、振幅レベルの表示に関して実体との適合性の精度をそれほど要求しない場合も多く、その場合はむしろ製造コスト抑制が重要といえる。
【０００９】
そこで、本発明は、上記の問題に鑑みてなされたものであり、安価かつシンプルで、与えられた２つの音声信号に対して所定の周波数における出力レベルをそれぞれ個別に表示できる表示装置を提供することを目的とするものである。
【００１０】
【課題を解決するための手段】
上記目的を達成するため、本発明による表示装置は、与えられた２つの音声信号に対して所定の周波数における出力レベルをそれぞれ個別に表示する表示装置において、前記周波数としては、基本となる第１の周波数と、該第１の周波数とは異なる第２の周波数と、が少なくとも設定されていて、前記音声信号各々の前記第１の周波数における出力レベルを個別に検出する第１、第２の検出手段と、前記音声信号同士を混合する混合手段と、前記混合手段で混合された音声信号の前記第２の周波数における出力レベルを検出する第３の検出手段と、前記第１、第２の検出手段の出力レベルを比較する比較手段と、前記比較手段による比較の結果、大きい方の出力レベルを前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、を備えたことを特徴とする。
【００１１】
ここで、部品点数の増加を抑えつつより多くの周波数を設定できるようにする観点から、更に、前記周波数としては、前記第１、第２の周波数とは異なる第３の周波数が設定されていて、前記演算手段は、前記比較手段による比較の結果、大きい方の出力レベルを、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算するようになっていることが好ましい。
【００１２】
また、与えられた２つの音声信号に対して所定の周波数における出力レベルをそれぞれ個別に表示する表示装置において、前記周波数としては、基本となる第１の周波数と、該第１の周波数とは異なる第２の周波数と、が少なくとも設定されていて、前記音声信号各々の前記第１の周波数における出力レベルを個別に検出する第１、第２の検出手段と、前記音声信号同士を混合する混合手段と、前記混合手段で混合された音声信号の前記第２の周波数における出力レベルを検出する第３の検出手段と、前記第１、第２の検出手段の出力レベルを比較する比較手段と、前記比較手段による比較の結果、相互の出力レベルの差の絶対値を前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、を備えたことを特徴とする。
【００１３】
ここで、部品点数の増加を抑えつつより多くの周波数を設定できるようにする観点から、更に、前記周波数としては、前記第１、第２の周波数とは異なる第３の周波数が設定されていて、前記演算手段は、前記比較手段による比較の結果、相互の出力レベルの差の絶対値を、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算するようになっていることが好ましい。
【００１４】
特に、実用性を踏まえて、前記２つの音声信号が、Ｌチャンネル音声信号とＲチャンネル音声信号とから構成されるステレオ音声信号であるとよい。
【００１５】
【発明の実施の形態】
以下に、本発明の実施形態について図面を参照しながら説明する。図１は、本発明の表示装置の構成を示すブロック図である。なお、図６及び図７に示した従来の表示装置及びその構成と同じ名称で同じの機能を果たす部分には同一符号を付し、重複する説明はここでは省略する。
【００１６】
図１に示す構成は、図６に示す表示装置に適用され、６３Ｈｚ、１００Ｈｚ、４００Ｈｚ、１ｋＨｚ、４ｋＨｚ、及び１６ｋＨｚという６つの周波数が設定されていて、Ｌｃｈ、Ｒｃｈという２つの音声信号に対して、各周波数における振幅レベルを８段階（振幅レベルが所定値に満たない点灯なしを含めると９段階）にそれぞれ個別に点灯表示させるものである。１は表示部、２、３はともに緩衝器としてのバッファアンプで、そのうちバッファアンプ２はＬｃｈの音声信号が入力されるもの、他方バッファアンプ３はＲｃｈの音声信号が入力されるものである。５はＬｃｈの音声信号とＲｃｈの音声信号を混合する音声信号混合部である。
【００１７】
１４、２４、３１、及び３６はいずれも所定の周波数の音声信号を通過させるバンドパスフィルタで、そのうちバンドパスフィルタ１４は、上記６つの周波数のうちで基本となる１ｋＨＺの周波数が設定されたＬｃｈの音声信号に用いられるもの、バンドパスフィルタ２４は、バンドパスフィルタ１４と同様に１ｋＨＺの周波数が設定されているがＲｃｈの音声信号に用いられるもの、バンドパスフィルタ３１は、上記６つの周波数のうちで１ｋＨＺよりも低い１つである６３Ｈｚ（本実施形態では最も低いものを選定）の周波数が設定され、音声信号混合部５で混合された音声信号に用いられるもの、バンドパスフィルタ３６は、上記６つの周波数のうちで１ｋＨＺよりも高い１つである１６ｋＨｚ（本実施形態では最も高いものを選定）の周波数が設定され、バンドパスフィルタ３１と同様に音声混合部５で混合された音声信号に用いられるものである。
【００１８】
５４、６４、７１、及び７６はいずれもＡＣ（交流）信号をＤＣ（直流）信号に変換するＡＣ／ＤＣ変換器で、そのうちＡＣ／ＤＣ変換器５４は、バンドパスフィルタ１４を通過したＬｃｈの信号を変換するもの、ＡＣ／ＤＣ変換器６４は、バンドパスフィルタ２４を通過したＲｃｈの信号を変換するもの、ＡＣ／ＤＣ変換器７１及び７６は、それぞれバンドパスフィルタ３１及び３６を通過した信号を変換するものである。これらＡＣ／ＤＣ変換器５４、６４、７１、及び７６は、図２に示すようなダイオードとコンデンサで構成された一般的な回路で十分である。４は、各ＡＣ／ＤＣ変換器５４、６４、７１、及び７６から出力された信号をそれぞれ入力するためのいわゆるＡ／Ｄポート（不図示）が設けられ、そのＡ／Ｄポートに入力された信号に基づき表示部１の表示を制御するマイクロコンピュータである。
【００１９】
このように本発明の表示装置は、設定された６つ全ての周波数毎にバンドパスフィルタ、ＡＣ／ＤＣ変換器、及びＡ／Ｄポートという一連の部品を備えるわけではなく、一部の周波数を選定してその周波数のみにバンドパスフィルタ等の一連の部品を備えているので、部品点数が少なく製造コストの抑制につながり、その結果安価かつシンプルな表示装置となっている。
【００２０】
次に、Ｌｃｈ、Ｒｃｈの音声信号の流れについて以下に説明する。先ず、バッファアンプ２に入力されたＬｃｈの音声信号は、音声信号混合部５とバンドパスフィルタ１４に分配出力され、他方バッファアンプ３に入力されたＲｃｈの音声信号は、音声信号混合部５とバンドパスフィルタ２４に分配出力される。次いで、バンドパスフィルタ１４及び２４では、それぞれＬｃｈ及びＲｃｈの音声信号から１ｋＨｚの周波数に応じた信号が抽出されて通過し、その通過した各信号（交流信号）は、それぞれＡＣ／ＤＣ変換器５４及び６４を介して、各信号の振幅に比例したアナログの直流信号、例えば電圧値が０〜５Ｖの範囲の直流信号に変換され、その変換された各直流信号は、マイクロコンピュータ４に設けられた各Ａ／Ｄポートに入力される。
【００２１】
一方、音声信号混合部５では、Ｌｃｈの音声信号とＲｃｈの音声信号とが加算するように混合され、その混合された音声信号はバンドパスフィルタ３１、３６に分配出力される。バンドパスフィルタ３１及び３６では、混合された音声信号からそれぞれ６３Ｈｚ及び１６ｋＨｚの周波数に応じた信号が抽出されて通過し、その通過した各信号（交流信号）は、それぞれＡＣ／ＤＣ変換器７１及び７６を介して、各信号の振幅に比例したアナログの直流信号、例えば電圧値が０〜５Ｖの範囲の直流信号に変換され、その変換された各直流信号は、マイクロコンピュータ４に設けられた各Ａ／Ｄポートに入力される。
【００２２】
そして、マイクロコンピュータ４は、各Ａ／Ｄポートに入力された直流信号の電圧値に基づき、Ｌｃｈ、Ｒｃｈの音声信号各々に対する上記６つの周波数毎の振幅レベルをそれぞれ算出し、その算出した各振幅レベルの信号を表示部１に与えて個別に表示させる。このマイクロコンピュータ４による各振幅レベルの算出手法について、図３〜５に基づき以下に説明する。図３は各振幅レベルの算出手法を示すフローチャート、図４は直流信号の電圧値から振幅レベルを換算する一例を示す換算表、図５は各周波数における振幅レベルを算出する式の一例を示す算出式一覧表である。
【００２３】
今、説明の便宜上、ＡＣ／ＤＣ変換器５４、６４、７１、及び７６から各Ａ／Ｄポートに入力された直流信号の電圧値を、それぞれＶＬ1k、ＶＲ1k、ＶＬＲ63、及びＶＬＲ16kと置く。図３に示すように、先ず、ステップ＃１０にて、各Ａ／Ｄポートに電圧値ＶＬ1k、ＶＲ1k、ＶＬＲ63、及びＶＬＲ16kの直流信号が取り込まれ、ステップ＃２０にて、各直流信号の電圧値ＶＬ1k、ＶＲ1k、ＶＬＲ63、及びＶＬＲ16kが、２５６個に区分された００〜ＦＦのＨＥＸ値にそれぞれ置き換わり、その各ＨＥＸ値がそれぞれ対応する０〜８の９段階にレベル分けされた振幅レベルＬ1k、Ｒ1k、ＬＲ63、及びＬＲ16kに換算される（図４参照）。ここで一旦ＨＥＸ値に置き換えるのは、マイクロコンピュータ４での演算制御を容易にするためである。
【００２４】
次いでステップ＃３０にて、各振幅レベルＬ1k、Ｒ1k、ＬＲ63、及びＬＲ16kに基づく、Ｌｃｈ、Ｒｃｈ各々に対して上記６つの周波数毎に定められた式に従って、それぞれの振幅レベルが算出される（図５参照）。今、説明の便宜上、算出された上記６つの周波数６３Ｈｚ、１００Ｈｚ、４００Ｈｚ、１ｋＨｚ、４ｋＨｚ、及び１６ｋＨｚにおける各振幅レベルを、ＬｃｈではそれぞれＬ63、Ｌ100、Ｌ400、Ｌ1k、Ｌ4k、及びＬ16k、ＲｃｈではそれぞれＲ63、Ｒ100、Ｒ400、Ｒ1k、Ｒ4k、及びＲ16kと置く。ここで、周波数１６ｋＨｚの振幅レベルＬ16k及びＲ16kは、ともにＬｃｈとＲｃｈを混合した音声信号から抽出された同値のＬＲ16kとなるので、そのまま表示するとチャンネルセパレーション（以下、「セパレーション」と記すことがある）が０（ゼロ）となり、また周波数６３Ｈｚの振幅レベルＬ63及びＲ63でも同様にセパレーションが０となって、実体に適合しないという問題が生じる。
【００２５】
そこで、このセパレーションの問題を改善するために、次段のステップ＃４０〜＃６０にて振幅レベルの補正演算を行っている。周波数１ｋＨｚの振幅レベルＬ1kとＲ1kは、それぞれ個別にＬｃｈとＲｃｈの音声信号から抽出されて、相互のセパレーションの情報を持っているため、これを利用すべくステップ＃４０にて、振幅レベルＬ1kとＲ1kとの大きさを比較、すなわちＬ1k−Ｒ1k≦０を満たすか否かを判定する。
【００２６】
Ｌ1k−Ｒ1k≦０を満たす場合は、Ｒ1kの方がＬ1k以上に大きいことになるので、全体としてＲｃｈの方がＬｃｈよりも優位であると判断して、ステップ＃３０で算出された振幅レベルのうちＬｃｈの振幅レベルＬ63、Ｌ100、Ｌ400、Ｌ4k、及びＬ16k（Ｌ1kを除く）から所定値Ｘを引くことにより、補正演算がなされる（ステップ＃５０）。一方、Ｌ1k−Ｒ1k≦０を満たさない場合は、Ｌ1kの方がＲ1kよりも大きいことになるので、全体としてＬｃｈの方がＲｃｈよりも優位であると判断して、ステップ＃３０で算出された振幅レベルのうちＲｃｈの振幅レベルＲ63、Ｒ100、Ｒ400、Ｒ4k、及びＲ16k（Ｒ1kを除く）から所定値Ｘを引くことにより、補正演算がなされる（ステップ＃６０）。なお、この補正演算結果で値が０以下の振幅レベルは０に置き換える。
【００２７】
このようにＬｃｈとＲｃｈのうちで小さい方のチャンネルの各振幅レベル（１ｋＨｚにおける振幅レベルを除く）を所定値Ｘで一律に引くように補正演算しているのは、Ｌｃｈ、Ｒｃｈの音声信号相互の振幅レベルを全周波数をとおして全体として見た場合、一方が他方に対してほぼ一律にシフトしているのが実体であるからである。なお所定値Ｘとしては、振幅レベルＬ1kとＲ1kの差の絶対値、又は振幅レベルＬ1kとＲ1kのうちの大きい方を適用している。前者は上記したシフトの量が直接反映されされるため好ましく、また後者は一方の振幅レベルが極めて小さい場合に有効である。
【００２８】
このようにしてステップ＃３０で算出された振幅レベル、及びステップ＃５０又は＃６０で補正演算された振幅レベルによって、Ｌｃｈ、Ｒｃｈの音声信号各々に対して上記６つ全ての周波数毎の振幅レベルが実体と適合するように決定される。そして、ステップ＃７０にて、その決定された各振幅レベルの信号を表示部１に与えて、その各振幅レベルを個別に表示させる。
【００２９】
従って、本発明の表示装置は、バンドパスフィルタ等の一連の部品を一部の周波数のみにしか備えていないが、その一部の周波数で抽出された振幅レベルを最大限に活用して、残りの周波数の振幅レベルを算出したり補正演算したりすることにより、２つの音声信号各々に対する設定された全ての周波数毎に、実体とほぼ適合した振幅レベルを得ることができる。
【００３０】
なお、本発明は上記の実施形態に限定されず、本発明の趣旨を逸脱しない範囲で、種々の変更が可能である。例えば、図４に示した振幅レベルのレベル分けは、発明者が実機で様々なジャンルの音楽をかけて、その振幅レベルの表示にジャンル毎の特徴が現れるように設定したまでであって、これに限られるわけではないし、また図５に示した振幅レベルを算出する式は、実体との適合性を踏まえつつ、マイクロコンピュータでの演算が容易になされるように工夫して設定したまでであって、これに以外の式であってももちろん構わない。
【００３１】
また、２つの音声信号として、Ｌｃｈ、Ｒｃｈという左右チャンネル以外にも、前後チャンネルやこれらの組み合わせも考えられるが、実用性を考慮すると左右チャンネルの音声信号が好適である。更に、周波数としても上記の６つに限定されずその数の増減も当然に可能であるし、またバンドパスフィルタ等の一連の部品を備える周波数にも特に限定はなく、搭載される音声装置の仕様に合わせた表示装置となるように適宜設定すればよい。
【００３２】
【発明の効果】
以上説明した通り本発明によれば、与えられた２つの音声信号に対して所定の周波数における出力レベルをそれぞれ個別に表示する表示装置において、前記周波数としては、基本となる第１の周波数と、該第１の周波数とは異なる第２の周波数と、が少なくとも設定されていて、前記音声信号各々の前記第１の周波数における出力レベルを個別に検出する第１、第２の検出手段と、前記音声信号同士を混合する混合手段と、前記混合手段で混合された音声信号の前記第２の周波数における出力レベルを検出する第３の検出手段と、前記第１、第２の検出手段の出力レベルを比較する比較手段と、前記比較手段による比較の結果、大きい方の出力レベルを前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、を備えたことを特徴とするため、設定された一部の周波数に、バンドパスフィルタ、ＡＣ／ＤＣ変換器、及びＡ／Ｄポートという一連の部品を備えれば足りる。従って、製造コストを抑制でき、安価かつシンプルに表示装置を製作することが可能となる。しかも、各振幅レベルの表示に関して、実体との適合性は全ての周波数に上記した一連の部品を備えた場合とほぼ同水準を維持できる。
【００３３】
更に、前記周波数としては、前記第１、第２の周波数とは異なる第３の周波数が設定されていて、前記演算手段は、前記比較手段による比較の結果、大きい方の出力レベルを、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算するようになっていると、上記した部品点数の増加を抑えつつより多くの周波数を設定できる。
【００３４】
また、与えられた２つの音声信号に対して所定の周波数における出力レベルをそれぞれ個別に表示する表示装置において、前記周波数としては、基本となる第１の周波数と、該第１の周波数とは異なる第２の周波数と、が少なくとも設定されていて、前記音声信号各々の前記第１の周波数における出力レベルを個別に検出する第１、第２の検出手段と、前記音声信号同士を混合する混合手段と、前記混合手段で混合された音声信号の前記第２の周波数における出力レベルを検出する第３の検出手段と、前記第１、第２の検出手段の出力レベルを比較する比較手段と、前記比較手段による比較の結果、相互の出力レベルの差の絶対値を前記第３の検出手段の出力レベルから引くことにより、小さい方の前記音声信号の前記第２の周波数における出力レベルを得るとともに、前記第３の検出手段の出力レベルをそのまま用いて、大きい方の前記音声信号の前記第２の周波数における出力レベルとするように演算する演算手段と、を備えたことを特徴としても、設定された一部の周波数に上記した一連の部品を備えれば足り、製造コストの抑制や安価かつシンプルな表示装置の実現が可能となるし、また各振幅レベルの表示に関して、実体との適合性は全ての周波数に上記した一連の部品を備えた場合とほぼ同水準を維持できる。
【００３５】
更に、前記周波数としては、前記第１、第２の周波数とは異なる第３の周波数が設定されていて、前記演算手段は、前記比較手段による比較の結果、相互の出力レベルの差の絶対値を、小さい方の出力レベルと、前記第３の検出手段の出力レベルと、に基づく所定の式で算出された出力レベルから引くことにより、小さい方の前記音声信号の前記第３の周波数における出力レベルを得るとともに、大きい方の出力レベルと、前記第３の検出手段の出力レベルと、に基づく所定の式で算出された出力レベルをそのまま用いて、大きい方の前記音声信号の前記第３の周波数における出力レベルとするように演算するようになっていると、上記した部品点数の増加を抑えつつより多くの周波数の設定が可能となる。
【００３６】
特に、前記２つの音声信号が、Ｌチャンネル音声信号とＲチャンネル音声信号とから構成されるステレオ音声信号であると、実用的となる。
【図面の簡単な説明】
【図１】    本発明の表示装置の構成を示すブロック図である。
【図２】    ＡＣ／ＤＣ変換器の一例を示す回路図である。
【図３】    各振幅レベルの算出手法を示すフローチャートである。
【図４】    直流信号の電圧値から振幅レベルを換算する一例を示す換算表である。
【図５】    各周波数における振幅レベルを算出する式の一例を示す算出式一覧表である。
【図６】    従来の一般的な表示装置の一例を示す外観正面図である。
【図７】    従来の表示装置の構成を示すブロック図である。
【符号の説明】
１    表示部
２，３    バッファアンプ
４    マイクロコンピュータ
５    音声信号混合部
１１〜１６，２１〜２６，３１，３６    バンドパスフィルタ
５１〜５６，６１〜６６，７１，７６    ＡＣ／ＤＣ変換器
１００    表示装置
【図１】
0003841667.tif 000002
【図２】
0003841667.tif 000003
【図３】
0003841667.tif 000004
【図４】
0003841667.tif 000005
【図５】
0003841667.tif 000006
【図６】
0003841667.tif 000007
【図７】
0003841667.tif 000008